(57)【要約】【課題】組付が簡単で、且つ組付後の構造の安定性が向上し、各部材の組付の接合度が良くなり、外力による脱落や分離が発生せず、且つ運搬格納時の省スペース化を図ること。【解決手段】外周面に複数の環状溝を設けた第一管体と、外周面が円錐形状を呈し、内周面に円弧形凸部を設けた複数の内ライニングと、複数の連接具、および複数の緊迫ユニットから構成される連接構造体と、緊迫ユニットの外周面に嵌められる第二管体とを含む。【選択図】図１
0003134342.tif 000002
【実用新案登録請求の範囲】
【請求項１】
外周面には互いに平行している複数の環状溝が等距離を置いて設けられた一つ以上の第一管体と、
外周面が円錐形状を呈し、内周面に円弧形凸部が設けてあり、前記円弧形凸部が前記環状溝に位置決めされるように、前記第一管体の外周面に嵌められる複数の内ライニングと、
複数の連接具、および複数の緊迫ユニットから構成される一つ以上の連接構造体と、
前記緊迫ユニットの外周面に嵌められる一つ以上の第二管体とを含む管体連接構造において、
前記連接具は、中央に貫通孔が開設してあり、前記第一管体の外周面にある内ライニングに嵌められ、且つ径方向の外周面に等距離を置いてねじ穴が複数に開設され、
前記緊迫ユニットは、第一緊迫具と、第二緊迫具と、締付具と、から構成され、前記第一緊迫具と前記第二緊迫具との一側には互いに対向する斜面がそれぞれ設けてあり、前記第一緊迫具と前記第二緊迫具との中央に軸方向に沿う貫通孔がそれぞれ開設してあり、前記締付具が前記各貫通孔を挿通して前記連接具にあるねじ穴にねじ込むことを特徴とする、
管体連接構造。
【請求項２】
前記各第一管体は、ほぼ竹形状を呈する管体であることを特徴とする、請求項１に記載の管体連接構造。
【請求項３】
前記内ライニングは、互いに対向し円弧形を呈する、第一片体と、第二片体と、から構成され、前記第一片体と前記第二片体とを合わせて形成される内ライニングの外周面が上から下へ拡径する円錐形状を呈し、且つ前記第一片体は、外面の所定位置に円弧形凸部が設けてあり、両側の側縁にはリブがそれぞれ突設してあり、前記第二片体の両側の側縁には前記第一片体のリブに応じて切り欠がそれぞれ凹設してあり、第一片体と第二片体との円弧形凸部が前記第一管体の環状溝と係合し、且つ第一片体のリブが第二片体の切り欠と係合するように、第一片体と第二片体とを前記第一管体の外周面に覆うことを特徴とする、請求項１に記載の管体連接構造。
【請求項４】
前記連接具はほぼボール形状を呈することを特徴とする、請求項１に記載の管体連接構造。
【請求項５】
前記連接具の貫通孔は上から下へ拡径するテーパー形状を呈することを特徴とする、請求項１に記載の管体連接構造。
【請求項６】
前記連接構造の緊迫ユニットは、更に、弾性子を含み、前記弾性子は、両端がそれぞれ第一緊迫具の一側と、連接具の周面とに押し付けるように、第一緊迫具の側面に設けられることを特徴とする、請求項１に記載の管体連接構造。
【請求項７】
前記緊迫ユニットの締付具の両端には、一字形状、十字形状、六角形穴または多角形穴がそれぞれ一つ凹設してあることを特徴とする、請求項１に記載の管体連接構造。
【請求項８】
前記緊迫ユニットの締付具の中央には両端を貫通している貫通孔が開設してあることを特徴とする、請求項１に記載の管体連接構造。
【請求項９】
前記弾性子はバネであることを特徴とする、請求項６に記載の管体連接構造。
【請求項１０】
前記弾性子は、円盤バネであり、一側には前記第一緊迫具の側面に押し付ける円弧形凹面が設けてあることを特徴とする、請求項６に記載の管体連接構造。
【請求項１１】
前記弾性子は、十字形状を呈するバネであることを特徴とする、請求項６に記載の管体連接構造。
【考案の詳細な説明】
【技術分野】
【０００１】
本考案は管体連接構造に係り、特に、簡単に組付可能であり、且つ組付けられた構造の安定性が向上する管体連接構造（管体の連接装置）に関するものである。
【背景技術】
【０００２】
従来の物置棚の枠体構造は色々ある。従来の物置棚の連接方式の一例としては、物置棚のプレートの底面に溝を一つ開設して、他のプレートの側面に穴が一つ開設して、前記溝と前記穴とにねじを貫入して前記二つのプレートを締付けたものである。
【０００３】
上記のような物置棚の連接方式は、構造が簡単であり、組付作業が容易であるが、ねじにより二つのプレートを締付けた後に、プレートの底面に開設された溝が位置決めと案内との役割を発揮するので、ねじを前記溝にねじ込んでいるときに、力がかなり掛り、且つねじに加える力が平均でないと、ねじがずれ易い。そうすると、組み付けられた物置棚の構造が不安定になり、使用の安全性が低下するといった問題がある。
【考案の開示】
【考案が解決しようとする課題】
【０００４】
本考案の主な目的は、組付作業および分解作業が容易になり、且つＤＩＹ作業が可能である管体連接構造を提供することにある。
【０００５】
本考案の次の目的は、各部材の組付のタイト度が良くなり、外力による脱落や分離が発生しなく、構造の安定性が向上する管体連接構造を提供することにある。
【０００６】
本考案の別の目的は、組付部材が分離式であり、運搬および貯蔵のときにスペースを節約可能である管体連接構造を提供することにある。
【課題を解決するための手段】
【０００７】
上記目的を達成するためになされた本願の第１考案は、一つ以上を有し、外周面には互いに平行している複数の環状溝が等距離を置いて設けられた第一管体と、複数を有し、外周面が円錐形状を呈し、内周面の所定位置に円弧形凸部が設けてあり、前記円弧形凸部が前記環状溝に位置決められるように、前記第一管体の外周面に嵌められる内ライニングと、一つ以上を有し、複数の連接具と、複数の緊迫ユニットと、から構成される連接構造と、一つ以上を有し、前記緊迫ユニットの外周面に嵌められる第二管体と、を含む管体連接構造において、前記連接具は、中央に貫通孔が開設してあり、前記第一管体の外周面にある内ライニングに嵌められ、且つ径方向の外周面に等距離を置いているねじ穴が複数に開設され、前記緊迫ユニットは、第一緊迫具と、第二緊迫具と、締付具と、から構成され、前記第一緊迫具と前記第二緊迫具との一側には互いに対向する斜面がそれぞれ設けてあり、前記第一緊迫具と前記第二緊迫具との中央に軸方向に沿う貫通孔がそれぞれ開設してあり、前記締付具が前記各貫通孔を挿通して前記連接具にあるねじ穴にねじ込むことを特徴とする管体連接構造であることを要旨としている。
【０００８】
本願の第２考案では、前記各第一管体は、ほぼ竹形状を呈する管体であることを特徴とする前記第１考案に記載の管体連接構造であることを要旨としている。
【０００９】
本願の第３考案では、前記内ライニングは、互いに対向し円弧形を呈する、第一片体と、第二片体と、から構成され、前記第一片体と前記第二片体とを合わせて形成される内ライニングの外周面が上から下へ拡径する円錐形状を呈し、且つ前記第一片体は、外面の所定位置に円弧形凸部が設けてあり、両側の側縁にはリブがそれぞれ突設してあり、前記第二片体の両側の側縁には前記第一片体のリブに応じて切り欠がそれぞれ凹設してあり、第一片体と第二片体との円弧形凸部が前記第一管体の環状溝と係合し、且つ第一片体のリブが第二片体の切り欠と係合するように、第一片体と第二片体とを前記第一管体の外周面に覆うことを特徴とする前記第１考案に記載の管体連接構造であることを要旨としている。
【００１０】
本願の第４考案では、前記連接具はほぼボール形状を呈することを特徴とする前記第１考案に記載の管体連接構造であることを要旨としている。
【００１１】
本願の第５考案では、前記連接具の貫通孔は上から下へ拡径するテーパー形状を呈することを特徴とする前記第１考案に記載の管体連接構造であることを要旨としている。
【００１２】
本願の第６考案では、前記連接構造の緊迫ユニットは、更に、弾性子を含み、前記弾性子は、両端がそれぞれ第一緊迫具の一側と、連接具の周面とに押し付けるように、第一緊迫具の側面に設けられることを特徴とする前記第１考案に記載の管体連接構造であることを要旨としている。
【００１３】
本願の第７考案では、前記緊迫ユニットの締付具の両端には、一字形状、十字形状、六角形穴または多角形穴がそれぞれ一つ凹設してあることを特徴とする前記第１考案に記載の管体連接構造であることを要旨としている。
【００１４】
本願の第８考案では、前記緊迫ユニットの締付具の中央には両端を貫通している貫通孔が開設してあることを特徴とする前記第１考案に記載の管体連接構造であることを要旨としている。
【００１５】
本願の第９考案では、前記弾性子はバネであることを特徴とする前記第６考案に記載の管体連接構造であることを要旨としている。
【００１６】
本願の第１０考案では、前記弾性子は、円盤バネであり、一側には前記第一緊迫具の側面に押し付ける円弧形凹面が設けてあることを特徴とする前記第６考案に記載の管体連接構造であることを要旨としている。
【００１７】
本願の第１１考案では、前記弾性子は、十字形状を呈するバネであることを特徴とする前記第６考案に記載の管体連接構造であることを要旨としている。
【考案の効果】
【００１８】
本考案の管体連接構造によれば、次のような効果がある。
（イ）組付作業および分解作業が容易になり、且つＤＩＹ作業（日曜大工作業）が可能である。
【００１９】
（ロ）各部材の組付のタイト度が良くなり、外力による脱落や分離が発生しなく、構造の安定性が向上する。
【００２０】
（ハ）組付部材が分離式であり、運搬および貯蔵のときにスペースを節約可能である。
【考案を実施するための最良の形態】
【００２１】
以下、添付図面を参照して本考案の好適な実施の形態を詳細に説明する。
【００２２】
まず、図１乃至図３を参照する。本考案の管体連接構造は、一つ以上の第一管体１０と、複数の内ライニング２０と、一つ以上の連接構造体３０と、一つ以上の第二管体３３と、を含む。
【００２３】
第一管体１０は、図１に示すように、ほぼ竹形状を呈する管体であり、外周面には互いに平行している複数の環状溝１１が等距離を置いて設けられている。
【００２４】
内ライニング２０は、図１に示すように、互いに対向し円弧形を呈する、第一片体２１と、第二片体２２と、から構成される。
前記第一片体２１と前記第二片体２２とを合わせて形成される内ライニング２０の外周面は上から下へ拡径する円錐形状を呈し、且つ前記第一片体２１は、外面の所定位置に円弧形凸部２１１が設けてある。
内ライニング２０の両側の側縁にはリブ２１２がそれぞれ突設してある。
前記第二片体２２の両側の側縁には前記第一片体２１のリブ２１２に応じて切り欠２２２がそれぞれ凹設してあり、第一片体２１と第二片体２２との円弧形凸部２１１，２２１が前記第一管体１０の環状溝１１と係合し、且つ第一片体２１のリブ２１２が第二片体２２の切り欠２２２と係合するように、第一片体２１と第二片体２２とが前記第一管体１０の外周面を覆う。
【００２５】
連接構造体３０は、図１に示すように、連接具３１と緊迫ユニット３２と、から構成される。
【００２６】
連接具３１は、ほぼボール形状を呈し、中央には上から下へ拡径する貫通孔３１１が開設してある。
連接具３１は前記第一管体１０の外周面にある内ライニング２０に嵌められ、且つ径方向の外周面に等距離を置い複数のねじ穴３１２が開設されている。
【００２７】
緊迫ユニット３２は、第一緊迫具３２１と、第二緊迫具３２２と、締付具３２３と、から構成される。
第一緊迫具３２１と第二緊迫具３２２との一側には互いに対向する斜面３２１１，３２２１がそれぞれ設けてあり、前記第一緊迫具３２１と前記第二緊迫具３２２との中央に軸方向に沿う貫通孔３２１２，３２２２がそれぞれ開設してある。
締付具３２３は前記第一緊迫具３２１と第二緊迫具３２２の各貫通孔３２１２，３２２２を挿通して連接具３１のねじ穴３１２にねじ込む。
【００２８】
第二管体３３は、図１と図２に示すように、緊迫ユニット３２の外周面に嵌められ、締付具３２３を回転することにより、第一緊迫具３２１と第二緊迫具３２２とがずれて第二管体３３の内周面を緊迫する。
【００２９】
また、連接構造体３０の緊迫ユニット３２は、更に、弾性子３２４を含む。
弾性子は３２４は、両端がそれぞれ第一緊迫具３２１の一側と、連接具３１の周面とに押し付けるように、第一緊迫具３２１の側面に設けられる。
【００３０】
また、電線を貫通するために、締付具３２３の中央には両端を貫通する貫通孔（符号なし）が開設してある。
【００３１】
また、前記した弾性子３２４はバネでもいい。
【００３２】
また、弾性子３２４は、図２に示すように、円盤バネであってもよく、この場合には、一側には前記第一緊迫具３２１の側面に押し付ける円弧形凹面３２４１が設けてある。
【００３３】
また、前記弾性子３２４は十字形状を呈するバネであってもいい。
【００３４】
また、前記緊迫ユニット３２の締付具３２３の両端には、一字形状、十字形状、六角形穴または多角形穴がそれぞれ一つ凹設してある。
【００３５】
また、更に、一つ以上のプレート４０を含んでもよい。前記プレート４０は、金属製でもいいし、木製でもいいし、ガラス製でもいいし、樹脂でもよい。
図３に示すようにプレート４０は、前記連接構造体３０の内部に組み付けられる。
【００３６】
次に、図１乃至図３を参照しながら本考案の組付方法を詳細に説明する。
まず、第一片体２１と第二片体２２との円弧形凸部２１１，２２１が前記第一管体１０の環状溝１１と係合し、且つ第一片体２１のリブ２１２が第二片体２２の切り欠２２２と係合するように、複数個の内ライニング２０である第一片体２１と第二片体２２を第一管体１０の外周面を覆うように外装する。
【００３７】
その後、連接構造体３０の組付作業を実施する。
締付具３２３を、第一緊迫具３２１と第二緊迫具３２２とにある貫通孔３２１２，３２２２に貫入して、連接具３１に開設されたねじ穴３１２にねじ込んで、図２に示すように、連接具３１の外周面を第二管体３３に嵌め込む。
このとき、前記締付具３２３を回すことにより、第一緊迫具３２１にある斜面３２１１と、第二緊迫具３２２にある斜面３２２１とがずれて前記第二管体３３の内周面を緊迫するようになる。
そして図１に示すような連接構造体３０の組付作業を完成する。
以上のように、本考案の組付方法は極めて簡単である。
また、本考案の連接構造体３０の締付具３２３は、更に、弾性子３２４を含み、前記弾性子３２４により、前記弾性子３２４の両端がそれぞれ第一緊迫具３２１の一側と、連接具３１の周面とに押し付けるようになり、且つ第一緊迫具３２１と第二緊迫具３２２とが第二管体３３の内周面を緊迫するようになり、そして第二管体３３を連接具３１の方向へ引くと、第二管体３３と連接具３１との間には隙間がなくなり、全体構造の安定度が従来と比べて良くなる。
【００３８】
その後、図２と図３に示すように、連接構造体３０の連接具３１にある貫通孔３１１に第一管体１０の外周面に設けられた内ライニング２０を嵌め込む。
すなわち、上から下へ拡径するような円錐形状の内ライニング２０を連接具３１に開設され上から下へ拡径する貫通孔３１１に嵌め込むことにより、全体構造の結合度が良くなる。
【００３９】
最後に、連接構造体３０の内部にプレート４０を直接に組付けることにより、プレート４０の各円弧形凹部４１がそれぞれ各第二管体３３の外周面を覆う。
したがって、本考案の管体連接構造によれば、組付方法が極めて簡単であり、ユーザは分解作業や組付作業を快速に行うことができる。
【００４０】
また、本考案の管体連接構造によれば、ユーザは、図３に示すように、２層以上の枠体構造を組付可能であるから、物置棚を形成することは極めて簡単である。
【００４１】
また、図１と図２に示すように、本考案は、主に、締付具３２３を回すことにより、第一緊迫具３２１にある斜面３２１１と、第二緊迫具３２２にある斜面３２２１とがずれて前記第二管体３３の内周面を緊迫するようになるので、それらは拡張器になり、ひいては第一緊迫具３２１と第二緊迫具３２２とが径方向に拡張して、図２に示すように、第二管体３３の内周面を緊迫するようになる。
これにより、各部材の間のタイト度が良くなり、外力による脱落や分離が発生しなくなって、構造の安定性が向上し、受け可能な重量が増加し、不適当な外力を受けても、本考案による枠体は、倒れたり、歪んだりすること等が容易に発生しない。
【図面の簡単な説明】
【００４２】
【図１】本考案の分解斜視図である。
【図２】本考案の一部の組合状態の断面概略図である。
【図３】本考案の実施例の組付け前の分解斜視図である。
【符号の説明】
【００４３】
１０      第一管体                １１      環状溝
２０      内ライニング            ２１      第一片体
２１１    円弧形凸部              ２１２    リブ
２２      第二片体                ２２１    円弧形凸部
２２２    切り欠                  ３０      連接構造
３１      連接具                  ３１１    貫通孔
３１２    ねじ穴                  ３２      緊迫ユニット
３２１    第一緊迫具              ３２１１  斜面
３２１２  貫通孔                  ３２２    第二緊迫具
３２２１  斜面                    ３２２２  貫通孔
３２３    締付具                  ３２４    弾性子
３２４１  円弧形凹面              ３３      第二管体
４０      プレート                ４１      円弧形凹部
【図１】
0003134342.tif 000003
【図２】
0003134342.tif 000004
【図３】
0003134342.tif 000005